(57)【要約】【課題】浴室内からも天井パネル裏面側からでも施工できる浴室天井パネルの取付け構造を提供する。【解決手段】ドア枠の上枠部材１に垂下端部２１を有する天井パネル２を取付ける構造であって、該上枠部材１は浴室側に開口する側面視略コの字型のパネル取付け部１１と浴室ドア４が装着されるドア装着部１２とからなり、上記パネル取付け部１１はその天部と該天部に連設される側壁部にそれぞれ縦方向ビス取付け孔１ａと横方向ビス取付け孔１ｂが穿設されるとともに、上記天井パネル２の水平部と垂下端部２１の上記ビス取付け孔に相当する位置にはそれぞれ縦方向ビス取付け長孔２ａと横方向ビス取付け長孔２ｂとが設けられる。【選択図】図１
2006009373.tif 000002
【特許請求の範囲】
【請求項１】
ドア枠の上枠部材に垂下端部を有する天井パネルを取付ける構造であって、該上枠部材は浴室側に開口する側面視略コの字型のパネル取付け部と浴室ドアが装着されるドア装着部とからなり、上記パネル取付け部はその天部と該天部に連設される側壁部にそれぞれ縦方向ビス取付け孔と横方向ビス取付け孔とが穿設され、上記天井パネルの水平部と垂下端部の上記ビス取付け孔に相当する位置にはそれぞれ縦方向ビス取付け長孔と横方向ビス取付け長孔とが設けられた浴室天井パネルの取付け構造。
【請求項２】
上記側壁部が浴室側に傾斜するとともに、該傾斜面に上記横方向ビス取付け孔が穿設された請求項１に記載の浴室天井パネルの取付け構造。
【請求項３】
上記パネル取付け部の天部に穿たれた縦方向ビス取付け孔の両側に一対のリブが上記天部の上面に立設された請求項１に記載の浴室天井パネルの取付け構造。
【請求項４】
上記パネル取付け部の浴室側の開口部には、カバー部が着脱自在に取付けられるとともに、上記開口部の端部には、上記カバー部に設けられた係合部と係合する係止部が上下に対向して内設された請求項１に記載の浴室天井パネルの取付け構造。
【発明の詳細な説明】
【技術分野】
【０００１】
本発明は、天井パネルの取付け構造に関する。さらに詳しくは、浴室ユニット等における浴室天井パネルの取付け構造に関する。
【背景技術】
【０００２】
従来、上記浴室ユニット等において浴室天井パネルを取付けるとき、浴室用ドア設置部位においては、通常、浴室用ドアを装着するドア枠の上枠部材に上記天井パネルを取付けることが行なわれている。例えば、下記特許文献には、ドア枠の上枠部材にアダプターを着脱自在に装着するアダプター装着部を設け、アダプターを装着することによって浴室床面から天井面までの高さが異なるいずれの浴室ユニットにも対応して天井パネルを取付けることができる構造が開示されている。
【特許文献１】特開平１１−２００７１２号公報（第１−３頁、第４、５図）
【発明の開示】
【発明が解決しようとする課題】
【０００３】
しかしながら、上記技術においては、上記ドア枠の上枠部材への天井パネルの取付けは浴室内からのみ可能であるため、例えば、浴室床面の施工が遅れた場合は、その完成を待って浴室の天井パネルの取付けを行なわなければならず工期がかかり、また構造も複雑で作業性が悪いという問題がある。本発明は、このような問題を解決して、浴室床面等、浴室内の工事が未完成の時点でも、隣接する脱衣室から上記天井パネルの裏面に回って取付け施工が可能であるとともに、浴室内からも作業性よく施工できる浴室天井パネルの取付け構造を提供することを、その課題とする。
【課題を解決するための手段】
【０００４】
本発明は、上記課題を解決するために考え出されたものであって、つぎのような技術的手段を講じている。すなわち、本発明によれば、ドア枠の上枠部材に垂下端部を有する天井パネルを取付ける構造であって、該上枠部材は浴室側に開口する側面視略コの字型のパネル取付け部と浴室ドアが装着されるドア装着部とからなり、上記パネル取付け部はその天部と該天部に連設される側壁部にそれぞれ縦方向ビス取付け孔と横方向ビス取付け孔とが穿設され、上記天井パネルの水平部と垂下端部の上記ビス取付け孔に相当する位置にはそれぞれ縦方向ビス取付け長孔と横方向ビス取付け長孔が設けられた浴室天井パネルの取付け構造が提供される。上記ドア枠の上枠部材としては、通常、アルミの一体成形品が用いられる。
【０００５】
上記側壁部が浴室側に傾斜するとともに、該傾斜面に上記横方向ビス取付け孔が穿設されることが好ましい。また、上記パネル取付け部の天部に穿たれた縦方向ビス取付け孔の両側に一対のリブが上記天部の上面に立設されることが好ましい。
【０００６】
上記パネル取付け部の浴室側の開口部には、カバー部が着脱自在に取付けられるとともに、上記開口部の端部には、上記カバー部に設けられた係合部と係合する係止部が上下に対向して内設されることが好ましい。上記カバー部としてはバネ弾性を有する材料、例えば、弾性を有する合成樹脂から形成されることが好ましい。
【発明の効果】
【０００７】
請求項１に記載の発明は上記のとおりであり、天井パネルの裏面側から、固定用ビスを用いて天井パネルを取付けることができるとともに、浴室内からも天井パネルを取付けることができるため、浴室床面が未施工等の場合でも、隣接する脱衣室から浴室天井部に上がり、天井パネルの裏面側から天井パネルを取付けることができる。また、床面の施工が完了しているときや、浴室リフォーム等の場合は、浴室内から天井パネルを取付けることができる。
【０００８】
上記側壁部が浴室側に傾斜するとともに、該傾斜面に上記横方向ビス取付け孔が穿設されているため、浴室内から作業し易い姿勢で固定用ビスの捻じ込み作業を行うことができる。
【０００９】
上記パネル取付け部の天部に穿たれた縦方向ビス取付け孔の両側に一対のリブが上記天部の上面に立設されているため、固定用ビスを締め付けるとき、上記一対のリブの介在により、縦方向ビス取付け長孔と縦方向ビス取付け孔の各取付け周辺部が変形することを防いで、しっかりと天井パネルを取付けることができる。
【００１０】
上記パネル取付け部の浴室側の開口部には、カバー部が着脱自在に取付けられるため、パネル取付け部の内部を目隠しできるとともに、必要なときには簡単に取外して、点検、修理、取替え等の諸作業を行うことができる。
【発明を実施するための最良の形態】
【００１１】
以下、本発明の実施形態について図面を参照して、詳細に説明する。図１は、本発明にかかる浴室天井パネルの取付け構造Ａを示す概略構成図である。図１において、上記取付け構造Ａはドア枠の上枠部材１と垂下端部２１を有する天井パネル２とからなり、上記上枠部材１は、浴室側に開口する側面視略コの字型のパネル取付け部１１と、後記浴室ドア４が装着されるドア装着部１２とからなっている。
【００１２】
図１からよくわかるように、上記パネル取付け部１１の天部１１１には縦方向ビス取付け孔１ａが、また、天部１１１に連設される側壁部１１２には横方向ビス取付け孔１ｂがそれぞれ穿設されるとともに、上記縦方向ビス取付け孔１ａの両側には、一対のリブ１３が天部１１１の上面に立設されている。
【００１３】
一方、天井パネル２の水平部には、上記縦方向ビス取付け孔１ａに相当する位置に縦方向ビス取付け長孔２ａが、垂下端部２１には、上記横方向ビス取付け孔１ｂに相当する位置に横方向ビス取付け長孔２ｂがそれぞれ設けられている。また、パネル取付け部１１の開口部にはカバー部３が着脱自在に取付けられように、開口部の浴室側端部には係止部１４が上下に対向して内設され、カバー部３には上記係止部１４と係合する係合部３１が設けられている。
【００１４】
つぎに、本発明にかかる浴室天井パネルの取付け構造Ａを用いて、ドア枠の上枠部材１に天井パネル２を取付ける方法について説明する。図２は浴室床面が未施工等の場合、隣接する脱衣室から浴室天井部に上がり、天井パネル２の裏面側から、縦方向ビス取付け長孔２ａと縦方向ビス取付け孔１ａとを用いて天井パネル２を取付ける第一実施形態を示す説明図である。
【００１５】
図２からよくわかるように、第一実施形態においては、天井パネル２の裏面側から、タッピングビス等の固定用ビス５を上記縦方向ビス取付け長孔２ａに挿入し、上記天部１１１に設けられた縦方向ビス取付け孔１ａに電動工具等を用いて締着する。このとき、リブ１３が介在しているため、縦方向ビス取付け長孔２ａと縦方向ビス取付け孔１ａの各取付け周辺部が変形することを防いで、固定用ビスをしっかりと締め付けることが可能となる。その結果、天井パネル２の裏面側から、天井パネル２をパネル取付け部１１に固定することができる。
【００１６】
ついで、カバー部３の係合部３１を上記係止部１４に係合してパネル取付け部１１の開口部にカバー部３を取付ける。さらに、パネル取付け部１１の天部１１１と天井パネル２との隙間にコーキング材６を充填してシーリングを行い、かくして天井パネル２がドア枠の上枠部材１に取付けられ、浴室ドア４が装着される。
【００１７】
つぎに本発明の第二実施形態について、図面を参照して説明する。図３は、浴室内から上記パネル取付け部１１の側壁部１１２に穿たれた横方向ビス取付け孔１ｂに固定用ビス５を挿入して天井パネル２の垂下端部２１に設けられた横方向ビス取付け長孔２ｂに締着した状態を示す説明図である。このとき、上記横方向ビス取付け孔１ｂは、浴室側に傾斜した傾斜面に穿設されている。このようにすることによって、浴室内から作業し易い姿勢で固定用ビス５の捻じ込み作業を行うことができる。ついで、第一実施形態における場合と同様な作業を行い、天井パネル２がドア枠の上枠部材１に取付けられ、浴室ドア４が装着される。
【００１８】
図４は、上記のように構成された浴室天井パネルの取付け構造Ａを用いて天井パネル２を浴室に施工した状態を示す浴室内面図である。図４において、符号７は、浴室床面を示す。図４からよくわかるように、本発明を実施することにより、浴室ドアのドア枠の上枠部材に天井パネルを簡単に、デザイン性よく取付けできることが明らかである。
【図面の簡単な説明】
【００１９】
【図１】本発明にかかる浴室天井パネルの取付け構造を示す概略構成図である。
【図２】本発明の第一実施形態にかかる浴室天井パネルの取付け構造を示す説明図である。
【図３】本発明の第二実施形態にかかる浴室天井パネルの取付け構造を示す説明図である。
【図４】本発明の浴室天井パネルの取付け構造を用いて天井パネルを取付けた状態を示す浴室内面図である。
【符号の説明】
【００２０】
Ａ          本発明にかかる浴室天井パネルの取付け構造
１          ドア枠の上枠部材
１１        パネル取付け部
１１１      天部
１ａ        縦方向ビス取付け孔
１１２      側壁部
１ｂ        横方向ビス取付け孔
１２        ドア装着部
１３        リブ
１４        係止部
２          天井パネル
２１        垂下端部
２ａ        縦方向ビス取付け長孔
２ｂ        横方向ビス取付け長孔
３          カバー部
３１        係合部
４          浴室ドア
５          固定用ビス
６          コーキング材
７          浴室床面
【図１】
2006009373.tif 000003
【図２】
2006009373.tif 000004
【図３】
2006009373.tif 000005
【図４】
2006009373.tif 000006